(57)【要約】【課題】事前に記憶したフォーカス位置と現在のフォーカス位置との近さを示す情報を、所定の文字、記号、又は、図形の表示状態を変更すること等によって表示するようにし、事前に記憶したフォーカス位置を容易且つ精度良く再現できるようにしたフォーカス情報表示装置を提供する。【解決手段】レンズ装置からフォーカス情報を取得するフォーカス情報表示装置２０には、ＬＣＤパネル２６やメモスイッチ４０等が配設されている。ＬＣＤパネル２６には現在のフォーカス位置がメモリ板５２、指標５４により表示される。メモスイッチ４０を押すと、そのときのフォーカス位置がマーキング位置として記憶されると共にその位置がマーク５６によりメモリ板５２上に表示される。マニュアル操作によりフォーカスをマーキング位置に合わせる際には現在のフォーカス位置がマーキング位置に近づくとマーク５６が点灯表示から点滅表示に切り替わる。【選択図】      図２
2004287180.tif 000002
【特許請求の範囲】
【請求項１】
撮影レンズのフォーカスに関する情報を表示するフォーカス情報表示装置において、
前記撮影レンズの所望のフォーカス位置又はフォーカス操作信号をフォーカス記憶位置として記憶するフォーカス位置記憶手段と、
現在のフォーカス位置又はフォーカス操作信号をフォーカス現在位置として取得するフォーカス現在位置取得手段と、
前記フォーカス現在位置と前記フォーカス記憶位置との近さを示す情報を表示する表示手段と、
を備えたことを特徴とするフォーカス情報表示装置。
【請求項２】
前記表示手段は、前記フォーカス現在位置を示す値と、前記フォーカス記憶位置を示す値との差が所定のしきい値より小さくなると、所定の文字、記号、又は、図形の表示状態を変更することを特徴とする請求項１のフォーカス情報表示装置。
【請求項３】
前記しきい値は、前記撮影レンズの焦点深度又は被写界深度に基づいて設定することを特徴とする請求項２のフォーカス情報表示装置。
【発明の詳細な説明】
【０００１】
【発明の属する技術分野】
本発明はフォーカス情報表示装置に係り、特に事前に記憶した所望のフォーカス位置をフォーカス操作時において参照可能に表示するフォーカス情報表示システムに関する。
【０００２】
【従来の技術】
一般に映画の撮影では、撮影中のフォーカス動作を意図的に行えるように、また、確実に所望の被写体にピントを合わせられるようにマニュアル操作によるフォーカス操作が行われている（例えば、特許文献１参照）。また、本番の撮影前にカメラや撮影レンズの撮影条件を確認、設定するためのテスト撮影が行われているが、このとき、本番撮影時のフォーカス位置の確認が行われている。例えば、本番撮影時に撮影を継続しながらフォーカスをマニュアル操作してピントを合わせる被写体を変える場合、テスト撮影時にマニュアル操作部材（フォーカスリング等）を操作して各被写体に対するピント合わせを順に行い、各被写体にピントが合ったときのフォーカスリングの操作位置を例えばフォーカスリングにテープなどを貼り付けてマーキングしておく。そして、本番撮影時には、それらのマーキングを参照してフォーカスリングを操作することで、テスト撮影時に各被写体にピント合わせしたフォーカス位置を再現している。
【０００３】
【特許文献１】
特開昭６３−２８７９３７号公報
【０００４】
【発明が解決しようとする課題】
しかしながら、上述のような方法ではマーキングの作業に手間がかかるという問題があった。また、テープなどを使用したマーキングでは、マーキング自体の精度が低いと共に、マーキングした位置にマニュアル操作部材を合わせる際の精度も低く、テスト撮影時にピント合わせした際のフォーカス位置を本番撮影時に正確に再現することはできないという不具合があった。
【０００５】
本発明はこのような事情に鑑みてなされたもので、事前に記憶したフォーカス位置を容易且つ精度良く再現できるようにしたフォーカス情報表示装置を提供することを目的とする。
【０００６】
【課題を解決するための手段】
前記目的を達成するために、請求項１に記載の発明は、撮影レンズのフォーカスに関する情報を表示するフォーカス情報表示装置において、前記撮影レンズの所望のフォーカス位置又はフォーカス操作信号をフォーカス記憶位置として記憶するフォーカス位置記憶手段と、現在のフォーカス位置又はフォーカス操作信号をフォーカス現在位置として取得するフォーカス現在位置取得手段と、前記フォーカス現在位置と前記フォーカス記憶位置との近さを示す情報を表示する表示手段と、を備えたことを特徴としている。
【０００７】
また、請求項２に記載の発明は、請求項１に記載の発明において、前記表示手段は、前記フォーカス現在位置を示す値と、前記フォーカス記憶位置を示す値との差が所定のしきい値より小さくなると、所定の文字、記号、又は、図形の表示状態を変更することを特徴としている。
【０００８】
また、請求項３に記載の発明は、請求項２に記載の発明において、前記しきい値は、前記撮影レンズの焦点深度又は被写界深度に基づいて設定することを特徴としている。
【０００９】
本発明によれば、事前に記憶したフォーカス位置（フォーカス記憶位置）と現在のフォーカス位置（フォーカス現在位置）との近さを示す情報を、所定の文字、記号、又は、図形の表示状態を変更すること等によって表示するようにしたため、事前に記憶したフォーカス位置を容易且つ精度良く再現できるようになる。
【００１０】
【発明の実施の形態】
以下添付図面に従って本発明に係るフォーカス情報表示装置の好ましい実施の形態について詳説する。
【００１１】
図１は、本発明が適用されるテレビレンズシステムの全体構成を示した制御ブロック図である。まず、テレビレンズシステムにおいて使用される図１の概略構成について説明する。レンズ装置１０の撮影光学系（撮影レンズ）には、例えば、周知のように、ズームレンズ（群）ＺＬ、フォーカスレンズ（群）ＦＬ、エクステンダレンズ（群）ＥＬ、アイリスＩなどの光学部品が配置されている。また、これらの光学部品のそれぞれに対応してレンズ装置１０には、ズームモータＺＭ、フォーカスモータＦＭ、エクステンダモータＥＭ、及び、アイリスモータＩＭが設けられていると共に、各モータの動力を各光学部品に伝達する動力伝達機構（ギア列）ＺＧ、ＦＧ、ＥＧ、ＩＧが設けられている。各モータが回動すると、各光学部品が駆動され、例えば、ズームモータＺＭによりズームレンズＺＬが駆動されると撮影倍率が変化し、フォーカスモータＦＭによりフォーカスレンズＦＬが駆動されると撮影距離（合焦する被写体距離）が変化する。エクステンダモータＥＭによりエクステンダレンズＥＬが駆動されると撮影倍率が例えば１倍から２倍、又は、２倍から１倍に切り替わり、アイリスモータＩＭによりアイリスＩが駆動されると絞り位置（絞り径）が変化する。
【００１２】
一方、レンズ装置１０には、ズームコントローラＺＣ、フォーカスコントローラＦＣ、エクステンダコントローラＥＣからそれぞれズーム制御に関するズーム制御信号、フォーカス制御に関するフォーカス制御信号、エクステンダ制御に関するエクステンダ制御信号が与えられると共に、レンズ装置１０が装着されるカメラ本体からアイリス制御に関するアイリス制御信号が入力されるようになっている。これらの制御信号は、例えばアナログ信号であり、レンズ装置１０内におけるＡ／Ｄ変換器１２によりデジタル信号に変換される。
【００１３】
また、レンズ装置１０にはＣＰＵ１４が搭載されており、このＣＰＵ１４には、上記Ａ／Ｄ変換器１２によりデジタル信号に変換された各制御信号が入力されると共に、ズームレンズＺＬ、フォーカスレンズＦＬ、エクステンダレンズＥＬ、アイリスＩのそれぞれの現在位置を示す位置信号が各ポテンショメータＺＰ、ＦＰ、ＥＰ、ＩＰから入力されるようになっている。ＣＰＵ１４は、ズーム、フォーカス、エクステンダ、アイリスに関するそれぞれの制御信号及び位置信号に基づいて、ズームレンズＺＬ、フォーカスレンズＦＬ、エクステンダレンズＥＬ、アイリスＩが各制御信号により指示された目標位置又は目標速度となるように各モータＺＭ、ＦＭ、ＥＭ、ＩＭを駆動する駆動信号を出力する。
【００１４】
ここで、一般にズーム制御信号は、ズームの目標速度を指示するものであり、その他の制御信号は目標位置を指示するものである。また、ＣＰＵ１４から出力される駆動信号は、各モータの回転速度（回転方向も含む）を指示するものである。
【００１５】
ＣＰＵ１４から出力された駆動信号は、Ｄ／Ａ変換器１６によりアナログ信号に変換され、ズームモータＺＭに対する駆動信号はズーム用アンプＺＡに入力され、フォーカスモータＦＭに対する駆動信号はフォーカス用アンプＦＡに入力され、エクステンダモータＥＭに対する駆動信号はエクステンダ用アンプＥＡに入力され、アイリスモータＩＭに対する駆動信号はアイリス用アンプＩＡに入力される。各アンプＺＡ、ＦＡ、ＥＡ、ＩＡは、入力された駆動信号に応じた回転速度となるように対応する各モータへの印加電圧を制御する。これによって、ズームレンズＺＬ、フォーカスレンズＦＬ、エクステンダレンズＥＬ、アイリスＩが各制御信号により指示された目標位置又は目標速度に設定される。
【００１６】
以上のように構成されたレンズ装置１０に対し、本発明に係るフォーカス情報表示装置２０は、例えば、ケーブルによりレンズ装置１０の所定の通信用コネクタに着脱可能に接続される。尚、フォーカス情報表示装置２０は、ネジ等によりレンズ装置１０等に着脱自在に固定できるようにしてもよい。また、フォーカス情報表示装置２０は、フォーカス情報表示用として専用に製造された装置でなくてもよく、市販のコンピュータ、例えば、パソコン（ノートパソコン等）やモバイル端末等であってもよい。更に、以下で説明するフォーカス情報表示装置２０の処理をレンズ装置１０内のＣＰＵ１４等により行って、レンズ装置１０等に設置された表示部、又は、ビューファインダなどの表示画面に表示させるようにしてもよい。
【００１７】
フォーカス情報表示装置２０にはＣＰＵ２２が搭載されると共にＳＣＩ（シリアルコミュニケーションインターフェース）２４が搭載されており、外部機器との通信が可能となっている。また、レンズ装置１０においてもＳＣＩ１８が搭載されており、外部機器との通信が可能となっている。従って、フォーカス情報表示装置２０の通信用コネクタとレンズ装置１０の通信用コネクタとをケーブル等により接続すると、フォーカス情報表示装置２０のＣＰＵ２２とレンズ装置１０のＣＰＵ１４との間で通信により各種信号のやり取りが行われるようになっている。尚、フォーカス情報表示装置２０とレンズ装置１０との間の通信手段は、有線に限らず無線であってもよいし、通信方式はどのような方式であってもよい。
【００１８】
レンズ装置１０のＣＰＵ１４は、現在のフォーカスレンズＦＬの位置（以下、フォーカスレンズＦＬの位置をフォーカス位置という）をポテンショメータＦＰにより逐次検出しており、その検出したフォーカス位置を示す情報（値）等が上述の通信手段を用いてフォーカス情報表示装置２０のＣＰＵ２２に逐次送信されるようになっている。尚、ポテンショメータＦＰによって検出されるフォーカスレンズＦＬの実際の位置ではなく、フォーカスコントローラＦＣからのフォーカス操作信号が示す目標位置を現在のフォーカス位置の情報としてフォーカス情報表示装置２０のＣＰＵ２２に送信するようにしてもよい。
【００１９】
フォーカス情報表示装置２０のＣＰＵ２２は、表示用ドライバ２８を介してＬＣＤパネル２６に現在のフォーカス位置等を示したフォーカス情報画面を表示させると共に、レンズ装置１０から逐次受信したフォーカス位置の情報に基づいてそのフォーカス情報画面の表示を逐次更新する。
【００２０】
尚、ＬＣＤパネル２６に表示する情報内容や表示形態などは、フォーカス情報表示装置２０に配置された操作スイッチ部３０の所定のスイッチによって操作者が切り替えられるようにしてもよい。
【００２１】
また、フォーカス情報表示装置２０には、ユーザが指定した所望のフォーカス位置をマーキング位置（フォーカス記憶位置）として記憶すると共に、そのマーキング位置と現在のフォーカス位置との関係を表示するマーキング機能が搭載されている。フォーカス情報表示装置２０のＣＰＵ２２は、操作スイッチ部３０の所定のスイッチ（メモスイッチ）が押されると、そのときのフォーカス位置をマーキング位置としてＥＥＰＲＯＭ３２に記憶させる。そして、後述のように記憶したマーキング位置をＬＣＤパネル２６に表示させる。
【００２２】
次に、フォーカス情報表示装置２０の外観を簡略して示した図２の正面図を参照しながらフォーカス情報表示装置２０でのフォーカス情報の表示に関する処理について詳説する。同図に示すようにフォーカス情報表示装置２０の正面にはＬＣＤパネル２６とメモスイッチ４０等が配設される。メモスイッチ４０は、現在のフォーカス位置の記憶を指示するスイッチであり、例えば、フォーカスコントローラＦＣを使用したマニュアルのフォーカス操作によりフォーカスを所望のフォーカス位置に設定し、メモスイッチ４０を押すと、そのときのフォーカス位置がマーキング位置として記憶される。
【００２３】
尚、ＣＰＵ２２は、レンズ装置１０から現在のフォーカス位置を示す情報を逐次取得しており、メモスイッチ４０が押されたときにマーキング位置としてＥＥＰＲＯＭ３２に記憶させるフォーカス位置は、メモスイッチ４０が押された直前にレンズ装置１０から取得したフォーカス位置の情報であってもよいし、メモスイッチ４０が押された直後にレンズ装置１０から取得したフォーカス位置の情報であってもよい。また、メモスイッチ４０が押された場合にはそれに伴ってフォーカス位置の情報をレンズ装置１０から取得してその位置をマーキング位置としてＥＥＰＲＯＭ３２に記憶させるようにしてもよい。
【００２４】
また、フォーカス位置の記憶は、上述のようにフォーカスコントローラＦＣを用いたマニュアルのフォーカス操作によって設定したフォーカス位置を記憶する場合に限らず、例えば、図示しないオートフォーカス手段により設定されたフォーカス位置をメモスイッチ４０を押すことによって記憶することもできる。
【００２５】
図２のＬＣＤパネル２６の画面内にはフォーカス情報の表示例が示されており、その画面内において、矩形状の窓枠５０が表示されると共にその窓枠５０内にフォーカス位置（フォーカスレンズＦＬの位置に対応した撮影距離）の値（同図では３ｍ〜∞）を記したメモリ板５２が表示される。また、窓枠５０の外側両横には棒状の指標５４、５４が表示されており、現在のフォーカス位置の値に対応するメモリ板５２上の位置がその指標５４、５４の位置に合うようにメモリ板５２の表示が上下に移動するようになっている。即ち、ＣＰＵ２２は、レンズ装置１０から逐次取得する現在のフォーカス位置の値の変化に応じてメモリ板５２の表示を窓枠５０内で上下に移動させ、現在のフォーカス位置に対応するメモリ板５２上の位置を指標５４に合致させる。
【００２６】
メモリ板５２の左側には、上記メモスイッチ４０の操作によってＥＥＰＲＯＭ３２に記憶させたマーキング位置がマーク５６、５６、５６により表示されるようになっている。尚、マーキング位置は複数記憶することができ、例えば、各マーク５６はそれぞれ異なる色で表示される。また、各マーク５６を色で識別するのではなく、各マーク５６を違った形状で表示し、又は、各マーク５６に違った文字や記号を付加することによって各マーク５６を識別できるようにしてもよい。
【００２７】
一方、事前に記憶させておいた所定のマーキング位置に例えばフォーカスコントローラＦＣを操作してフォーカスを合わせる際に、現在のフォーカス位置がマーキング位置に近づくと、そのマーキング位置を表したマーク５６が点灯表示（常時点灯）から点滅表示に切り替わるようになっている。即ち、ＣＰＵ２２は、レンズ装置１０から逐次取得される現在のフォーカス位置を示す値と、ＥＥＰＲＯＭ３２に記憶したマーキング位置を示す値との差（差の絶対値）が所定のしきい値より小さくなると、そのマーキング位置を表したマーク５６を点灯表示から点滅表示に切り替える。その差が前記しきい値以上になると、点滅表示から点灯表示に切り替える。このように表示状態を変化させることによって、事前に記憶させたマーキング位置にフォーカスを合わせる操作が容易且つ確実となる。尚、マーク５６を点灯表示から点滅表示、又は、点滅表示から点灯表示に切り替える代わりに指標５４を点灯表示から点滅表示、又は、点滅表示から点灯表示に切り替えるようにしてもよい。
【００２８】
ここで、マーキング位置と現在のフォーカス位置との近さを判別する前記しきい値についての態様を説明する。第１の態様は、撮影レンズのおおよその焦点深度又は被写界深度等を考慮して前記しきい値を妥当な値に固定する場合である。特に、前記しきい値を小さい値に設定した場合には、マーク５６の点灯表示から点滅表示への切替りは、現在のフォーカス位置が単にマーキング位置に近づいたことを示すものではなく、現在のフォーカス位置がマーキング位置に合致したとみなせる位置になったことを示すものとなる。尚、この場合の極限として前記しきい値を０に設定することも可能で、現在のフォーカス位置がマーキング位置に完全に合致した場合にのみそのマーキング位置のマーク５６が点灯表示から点滅表示に切り替わるようにすることもできる。
【００２９】
第２の態様は、撮影条件によって変化する焦点深度又は被写界深度を考慮し、例えば、焦点深度が長いほど前記しきい値を大きくするというように前記しきい値を可変にする場合である。この場合、フォーカス位置の情報だけでなく、ズームレンズＺＬやアイリスＩの位置等の撮影レンズの焦点深度又は被写界深度を知るための情報をレンズ装置１０から取得し、取得した情報に応じて前記しきい値を設定、変更する。更に、焦点深度又は被写界深度を考慮して前記しきい値を設定する場合に、例えば、マーキング位置における被写体距離が、現在のフォーカス位置における被写体距離に被写界深度を考慮した範囲内に入るか否かの境界となるところを前記しきい値とする態様が考えられる。これによれば、上述のようにそのマーキング位置のマーク５６が点灯表示から点滅表示に切り替わった場合に、マーキング位置においてピントが合う被写体に対して現在のフォーカス位置でもほぼピントが合ったとみなせる状態になったと判断することができる。
【００３０】
尚、マーク５６の表示状態を切り替える主な目的は、現在のフォーカス位置がマーキング位置に合致したか否かを操作者が容易且つ精度良く判断できるようにすることにあり、基本的には、現在のフォーカス位置とマーキング位置とが完全に合致したか、又は、合致したとみなせる状態になった場合にマーク５６の表示状態を切り替え、操作者に通知するようにすることが望ましい。
【００３１】
以上のような表示に関するフォーカス情報表示装置２０のＣＰＵ２２の処理手順について図３のフローチャートを用いて説明する。まず、ＣＰＵ２２は所要の初期設定を行った後（ステップＳ１０）、レンズ装置１０から現在のフォーカス位置の情報を受信する（ステップＳ１２）。続いて、メモスイッチ４０が押されたか（オンされたか）否かを判定し（ステップＳ１４）、ＹＥＳと判定した場合には、ステップＳ１２により受信した現在のフォーカス位置をマーキング位置としてＥＥＰＲＯＭ３２に記憶させると共に、ＬＣＤパネル２６の画面上におけるメモリ板５２の現在のフォーカス位置に対応する位置にマーク５６を表示させる（ステップＳ１６）。そして、ステップＳ１４に戻る。
【００３２】
一方、ステップＳ１４でＮＯと判定した場合には、次に現在のフォーカス位置に合わせてＬＣＤパネル２６の画面上におけるメモリ板５２の表示を上下方向に移動させる（ステップＳ１８）。そして、現在のフォーカス位置といずれかのマーキング位置とが近いか否か、即ち、現在のフォーカス位置の値といずれかのマーキング位置の値との差（差の絶対値）が上述したしきい値より小さいか否かを判定する（ステップＳ２０）。ＹＥＳと判定した場合、マーク５６の点滅周期を決定し（ステップＳ２２）、その周期でマーク５６を点滅させる（ステップＳ２４）。
【００３３】
ステップＳ２０においてＮＯと判定した場合にはマーク５６の点滅を禁止し、点灯表示にする（ステップＳ２６）。ステップＳ２４又はステップＳ２６の処理が終了するとステップＳ１４に戻る。
【００３４】
以上のフォーカス情報表示装置２０は、映画撮影に用いると特に効果的である。例えば、映画撮影では本番撮影前にテスト撮影が行われ、そのテスト撮影においてカメラ本体や撮影レンズの撮影条件の調整が行われる。そのテスト撮影の際に、例えば、大画面映像モニター、波形モニター、又は、ピント情報表示装置（前ピン、後ピン、合焦等のピント情報を表示する装置）を参照しながらマニュアルフォーカスで撮影本番時と同位置の被写体にピントを合わせ、又は、オートフォーカスを使用してピントを合わせ、そのときのフォーカス位置をマーキング位置としてフォーカス情報表示装置２０に記憶させておく。そして、撮影本番時のマニュアルフォーカス時には、フォーカス情報表示装置２０に表示される情報を参照することによって容易且つ精度良くフォーカスをマーキング位置に設定することができる。
【００３５】
次に、フォーカス情報表示装置２０のＬＣＤパネル２６の画面内に表示されるフォーカス情報について図２と異なる態様を説明する。図４は、そのフォーカス情報の表示例を示したフォーカス情報表示装置２０の正面図である。同図のＬＣＤパネル２６の画面内には、記憶したマーキング位置の値が表示されるマーキング位置表示窓７０と、現在のフォーカス位置の値が表示される現在位置表示窓７２が表示されると共に、マーキング位置表示窓７０に表示されたマーキング位置に対して現在のフォーカス位置を合致させるためのフォーカス操作方向を指示する方向指示器７４Ａ、７４Ｂが表示される。また、複数のマーキング位置を記憶した場合に、現在のフォーカス位置との比較対象とする所望のマーキング位置を選択するための番号１〜４までの選択スイッチ７６Ａ〜７６Ｄが表示される。
【００３６】
マーキング位置表示窓７０には、選択スイッチ７６Ａ〜７６Ｄによって選択されたマーキング位置の値が表示され、現在位置表示窓には現在のフォーカス位置の値が表示される。
【００３７】
尚、ＬＣＤパネル２６がタッチパネル付きの場合には所望の選択スイッチ７６Ａ〜７６Ｄを画面上で直接タッチすれば対応するマーキング位置を選択することができ、そうでない場合には操作スイッチ部３０の所定の操作で選択することができる。
【００３８】
また、同図の例では、マーキング位置表示窓７０や現在位置表示窓７２に表示されている値は、フォーカス位置をレンズ装置１０のＣＰＵ１４やフォーカス情報表示装置２０のＣＰＵ２２において認識する際のフォーカス制御値であるが、これに限らず例えば撮影距離（被写体距離）の値に換算したものを表示するようにしてもよい。
【００３９】
現在のフォーカス位置がマーキング位置表示窓７０に表示されているマーキング位置に対して無限遠側にある場合には、至近側へのフォーカス操作を指示する方向指示器７４Ａが点灯し、その旨が操作者に通知される。一方、現在のフォーカス位置がマーキング位置表示窓７０に表示されているマーキング位置に対して至近側にある場合には、無限遠側へのフォーカス操作を指示する方向指示器７４Ｂが点灯し、その旨が操作者に通知される。
【００４０】
現在のフォーカス位置がマーキング位置表示窓に表示されているマーキング位置に合致した場合、又は、合致したとみなせる位置まで近づいた場合、両方の方向指示器７４Ａ、７４Ｂが点灯し、その旨が操作者に通知される。尚、両方の方向指示器７４Ａ、７４Ｂが点灯させる状態となる前の段階で現在のフォーカス位置がマーキング位置にある程度近づいたときには方向指示器７４Ａ又は７４Ｂを点灯表示から点滅表示に切り替えるようにしてもよい。
【００４１】
以上、上記図２のフォーカス情報の表示例では、マーキング位置のマーク５６の表示状態を切り替えることにより現在のフォーカス位置の値とマーキング位置の値とが所定のしきい値よりも近づいたか否かを表し、図４のフォーカス情報の表示例では、方向表示器７４Ａ、７４Ｂの表示状態で現在のフォーカス位置とマーキング位置との位置関係や、現在のフォーカス位置とマーキング位置とが合致したか否かを表すようにしたが、現在のフォーカス位置とマーキング位置とが合致したか（又は合致したとみなせる状態か）や、所定のしきい値よりも近づいたか等の現在のフォーカス位置とマーキング位置との近さを示す表示方法はこれに限らない。
【００４２】
例えば、現在のフォーカス位置がマーキング位置に合致するまで近づいていく際に、ＬＣＤパネル２６の画面上における所定の文字、記号、図形、又は、画面全体等の表示状態を変化させて現在のフォーカス位置とマーキング位置との近さを表すとすると、その表示状態の変化は、表示色、表示輝度、表示形状、表示文字（又は記号等）の種類や書体などの変更により行うことができる。当然、これらの変更の組み合わせであってもよい。例えば、表示色と表示輝度の両方を変更する場合や、表示色と表示輝度を順番に変更する場合であってもよい。
【００４３】
また、上記実施の形態では、フォーカス情報表示装置２０においてフォーカスレンズＦＬの実際の位置をフォーカス位置として記憶又は取得するようにしたが、フォーカスコントローラＦＣからのフォーカス操作信号等の目標位置をフォーカス位置として記憶又は取得するようにしてもよい。
【００４４】
【発明の効果】
以上説明したように本発明に係るフォーカス情報表示装置によれば、事前に記憶したフォーカス位置（フォーカス記憶位置）と現在のフォーカス位置（フォーカス現在位置）との近さを示す情報を、所定の文字、記号、又は、図形の表示状態を変更すること等によって表示するようにしたため、事前に記憶したフォーカス位置を容易且つ精度良く再現できるようになる。
【図面の簡単な説明】
【図１】図１は、本発明が適用されるテレビレンズシステムの全体構成を示した制御ブロック図である。
【図２】図２は、フォーカス情報表示装置の外観を簡略して示した正面図である。
【図３】図３は、フォーカス情報表示装置のＣＰＵの処理手順を示したフローチャートである。
【図４】図４は、フォーカス情報表示装置のＬＣＤパネルに表示されるフォーカス情報の他の表示例を示した正面図である。
【符号の説明】
１０…レンズ装置、１４…ＣＰＵ、２０…フォーカス情報表示装置、２２…ＣＰＵ、２６…ＬＣＤパネル、２８…表示用ドライバ、３０…操作スイッチ部、３２…ＥＥＰＲＯＭ、４０…メモスイッチ、５０…窓枠、５２…メモリ板、５４…指標、５６…マーク、ＦＣ…フォーカスコントローラ
【図１】
2004287180.tif 000003
【図２】
2004287180.tif 000004
【図３】
2004287180.tif 000005
【図４】
2004287180.tif 000006